(57)【要約】【課題】  軸に対する軸受部のガタつきを防ぐことができる軸受構造、それを備えた電子鍵盤楽器および機器を提供する。【解決手段】  ハンマー支持軸８ａと、挿入孔３３が設けられ、ハンマー支持軸８ａが挿入孔３３から挿入されることにより弾性変形される軸受部２８と、軸受部２８の内周面に設けられ、軸受部２８に挿入されたハンマー支持軸８ａの外周面に、ハンマー支持軸８ａの回転方向に沿って摺動可能に接触する突起部３４と、を備えている。従って、ハンマー支持軸８ａの径方向に弾性変形可能な軸受部２８の内周面に設けられた複数の突起部３４をハンマー支持軸８ａの外周面に弾力的に押し当てることができるので、複数の突起部３４をハンマー支持軸８ａの外周面に沿って弾力的に摺動させることができる。これにより、ハンマー支持軸８ａに対する軸受部２８のガタつきを防いで、円滑に軸受部２８を回転させることができる。【選択図】        図３
2019056874.tif 000002
【特許請求の範囲】
【請求項１】
軸と、
挿入孔が設けられ、前記軸が前記挿入孔から挿入されることにより弾性変形される軸受部と、
前記軸の外周面および前記軸受部の内周面のいずれか一方に設けられ、前記軸の外周面と前記軸受部の内周面とのいずれか他方に、前記軸受部に挿入された前記軸の回転方向に沿って摺動可能に接触する突起部と、
を備えていることを特徴とする軸受構造。
【請求項２】
請求項１に記載の軸受構造において、前記軸受部は、前記軸が嵌合する嵌合孔を備えていることを特徴とする軸受構造。
【請求項３】
請求項２に記載の軸受構造において、前記突起部は、前記嵌合孔と前記挿入孔との境界部に設けられていることを特徴とする軸受構造。
【請求項４】
請求項１〜請求項３のいずれかに記載の軸受構造において、前記突起部は、前記軸の外周面に対して点接触と線接触とのいずれか一方で接触することを特徴とする軸受構造。
【請求項５】
請求項１〜請求項４のいずれかに記載の軸受構造において、前記嵌合孔の内周面には、前記突起部によって潤滑材を溜める潤滑溜め部が設けられていることを特徴とする軸受構造。
【請求項６】
請求項１〜請求項５のいずれかに記載の軸受構造を備えた鍵盤装置と、
前記鍵盤装置の操作に応じて楽音を発生する発音部と、
を備えていることを特徴とする電子鍵盤楽器。
【請求項７】
請求項６に記載の電子鍵盤楽器において、前記鍵盤装置は、鍵盤シャーシに回転可能に設けられた複数の鍵それぞれの押鍵操作に応じて回転して、前記複数の鍵それぞれにアクション荷重を付与する複数のハンマー部材の各回転部が前記軸受構造になっていることを特徴とする電子鍵盤楽器。
【請求項８】
請求項１〜請求項５のいずれかに記載の軸受構造を備えていることを特徴とする機器。
【発明の詳細な説明】
【技術分野】
【０００１】
この発明は、電子ピアノなどの電子鍵盤楽器や回転機構を有する機器に用いられる軸受構造、それを備えた電子鍵盤楽器および機器に関する。
【背景技術】
【０００２】
例えば、鍵盤装置においては、特許文献１に記載されているように、鍵盤シャーシ上に設けられた複数の鍵が押鍵操作された際に、その押鍵操作された鍵によってハンマー部材を回転させることにより、押鍵操作された鍵にアクション荷重を付与する構造のものが知られている。
【先行技術文献】
【特許文献】
【０００３】
【特許文献１】特開２０１５−８７５９２号公報
【０００４】
この種の鍵盤装置は、鍵盤シャーシに複数のハンマー部材を複数の鍵それぞれに対応させた状態で上下方向に回転可能に取り付けるため、鍵盤シャーシに設けられた軸部にハンマー部材の軸受部を取り付ける構造になっている。この場合、軸受部は、中心部に軸部が回転可能に嵌合する嵌合孔と、軸受部の外周から嵌合孔に軸部を導く軸挿入部とを備え、全体がほぼＣ字形状に形成されている。
【発明の概要】
【発明が解決しようとする課題】
【０００５】
このような鍵盤装置では、鍵盤シャーシの軸部とハンマー部材の軸受部との成型時に、軸部と軸受部との寸法にバラつきが生じると、軸部の外周面と軸受部の嵌合孔の内周面との間に隙間が発生するため、その隙間にグリースなどの潤滑剤を充填する必要がある。
【０００６】
しかしながら、このような鍵盤装置では、鍵の押鍵操作によってハンマー部材が繰り返し回転すると、潤滑剤の減少や劣化によって鍵盤シャーシの軸部に対してハンマー部材の軸受部にガタつきが生じ、異音が発生するという問題が生じる。
【０００７】
この発明が解決しようとする課題は、軸に対する軸受部のガタつきを防ぐことができる軸受構造、それを備えた電子鍵盤楽器および機器を提供することである。
【課題を解決するための手段】
【０００８】
この発明は、軸と、挿入孔が設けられ、前記軸が前記挿入孔から挿入されることにより弾性変形される軸受部と、前記軸の外周面および前記軸受部の内周面のいずれか一方に設けられ、前記軸の外周面と前記軸受部の内周面とのいずれか他方に、前記軸受部に挿入された前記軸の回転方向に沿って摺動可能に接触する突起部と、を備えていることを特徴とする軸受構造である。
【発明の効果】
【０００９】
この発明によれば、軸に対する軸受部のガタつきを防ぐことができる。
【図面の簡単な説明】
【００１０】
【図１】この発明を電子鍵盤楽器の鍵盤装置に適用した一実施形態を示した断面図である。
【図２】図１に示された鍵盤装置のハンマー部材を示した拡大側面図である。
【図３】図２に示されたハンマー部材の軸受部を示した要部の拡大図である。
【図４】図１に示された鍵盤装置において、ハンマー部材を回転可能に支持する鍵盤シャーシのハンマー支持部を裏面側から見た要部の拡大斜視図である。
【発明を実施するための形態】
【００１１】
以下、図１〜図４を参照して、この発明を電子鍵盤楽器の鍵盤装置に適用した一実施形態について説明する。
この鍵盤装置は、図１に示すように、ＡＢＳ樹脂などの合成樹脂製の鍵盤シャーシ１と、この鍵盤シャーシ１上に配列されて上下方向にそれぞれ回転可能に取り付けられた複数の鍵２と、これら複数の鍵２の押鍵操作に伴って各鍵２それぞれにアクション荷重を付与する複数のハンマー部材３と、複数の鍵２の押鍵動作に応じてそれぞれオン動作するスイッチ部４と、を備えている。
【００１２】
鍵盤シャーシ１は、楽器ケース（図示せず）内に配置されるものである。この鍵盤シャーシ１の前端部（図１では右端部）には、図１に示すように、前脚部５が底部から上方に突出して設けられている。この前脚部５の上部には、鍵２の横振れを防ぐための鍵ガイド部６が各鍵２にそれぞれ対応して設けられている。
【００１３】
また、この鍵盤シャーシ１における前脚部５の後部側（図１では左側部）には、図１に示すように、ハンマー載置部７が前脚部５よりも少し高い高さで設けられている。このハンマー載置部７の下面には、ハンマー部材３を支持するためのハンマー支持部８が下側に向けて突出して設けられている。このハンマー支持部８には、ハンマー部材３を上下方向に回転可能に支持するハンマー支持軸８ａが設けられている。
【００１４】
また、この鍵盤シャーシ１の前後方向（図１では左右方向）におけるほぼ中間部、つまりハンマー鍵載置部７の上部後方には、図１に示すように、基板載置部１０が一段低い高さで設けられている。この基板載置部１０の上方には、スイッチ部４がハンマー載置部７と基板支持部１１との両方に跨った状態で取り付けられている。この場合、基板支持部１１は、基板載置部１０の後部側（図１では左側）上面に起立して設けられている。
【００１５】
さらに、この鍵盤シャーシ１の後部、つまり基板載置部１０の後部側には、図１に示すように、鍵載置部１２が鍵ガイド部６の上部よりも少し低い高さで設けられている。この鍵載置部１２の上面には、鍵支持部１３が上方に突出して設けられている。この鍵支持部１３には、鍵２の後端部を上下方向に回転可能に支持する鍵支持軸１３ａが設けられている。
【００１６】
また、この鍵盤シャーシ１における鍵載置部１２の後端部には、図１に示すように、鍵盤シャーシ１の後端部を支持する後脚部１４が鍵盤シャーシ１の上部から底部に向けて垂下されている。この後脚部１４の下端部には、ハンマー部材３の下限位置を規制するためのフェルトなどの下限ストッパ部１５が設けられている。
【００１７】
一方、鍵２は、白鍵と黒鍵とを有している。ただし、この実施形態では、１つの白鍵について説明する。この鍵２は、図１に示すように、その後端部（図１では左端部）が鍵盤シャーシ１の鍵載置部１２上に設けられた鍵支持部１３の鍵支持軸１３ａによって上下方向に回転可能に支持されている。この鍵２の前後方向（図１では左右方向）におけるほぼ中間部には、鍵盤シャーシ１の基板載置部１０上に取り付けられたスイッチ部４を押圧するためのスイッチ押圧部１６が下側に突出して設けられている。
【００１８】
この場合、スイッチ部４は、図１に示すように、スイッチ基板１７上に配置されたゴムシートを膨出させたドーム状の膨出部１８を備えている。このドーム状の膨出部１８は、鍵２のスイッチ押圧部１６に対応してスイッチ基板１７上に設けられている。このスイッチ部４におけるスイッチ基板１７は、その前端部（図１では右端部）がハンマー載置部７上に配置され、他端部（図１では左端部）が基板載置部１０上に設けられた基板支持部１１上に配置され、この状態で基板載置部１０の上方に浮いた状態で取り付けられている。
【００１９】
また、このスイッチ部４は、図１に示すように、ゴムシートの膨出部１８がスイッチ押圧部１６によって押圧された際に、膨出部１８が弾性変形して、その内部の可動接点がスイッチ基板１７の固定接点に接触することにより、オン信号を出力するようになっている。この場合、スイッチ基板１７には、スイッチ部４からのオン信号に基づいて楽音情報を生成し、この生成した楽音情報に基づいてスピーカ（図示せず）から楽音を放音させるための発音部１７ａが設けられている。
【００２０】
さらに、鍵２のスイッチ押圧部１６の前側（図１では右側）に位置する鍵２の箇所には、図１に示すように、ハンマー押圧部２０が鍵２の下側に向けて突出して設けられている。このハンマー押圧部２０の下部には、ハンマー部材３の後述する鍵当接摺動部２６を摺動可能に保持するハンマー保持部２１が設けられている。
【００２１】
ハンマー部材３は、図１および図２に示すように、ハンマー本体２３と、このハンマー本体２３の後部（図２では左側部）に設けられた錘部２４と、ハンマー本体２３の前部側（図２では右側部）に設けられて、ハンマー本体２３の回転中心となる回転取付部２５と、ハンマー本体２３の前側に位置する先端部（図２では右端部）に設けられた鍵当接摺動部２６と、を備えている。
【００２２】
このハンマー部材３は、図１および図２に示すように、ハンマー本体２３の鍵当接摺動部２６を鍵盤シャーシ１のハンマー載置部７の前下り部９に設けられた開口部９ａに挿入させた状態で、ハンマー本体２３の回転取付部２５がハンマー載置部７の下面に設けられたハンマー支持部８のハンマー支持軸８ａに回転可能に取り付けられることにより、ハンマー本体２３がハンマー支持軸８ａを中心に上下方向に回転するようになっている。
【００２３】
また、このハンマー部材３は、図１および図２に示すように、ハンマー本体２３の回転取付部２５がハンマー支持部８のハンマー支持軸８ａに回転可能に取り付けられた際に、ハンマー本体２３の前側に位置する先端部（図１では右端部）に設けられた鍵当接摺動部２６が、鍵２のハンマー押圧部２０に設けられたハンマー保持部２１内に、摺動可能に挿入されるようになっている。
【００２４】
これにより、ハンマー部材３は、図１および図２に示すように、通常の状態で、ハンマー本体２３が錘部２４の重量によってハンマー支持部８のハンマー支持軸８ａを中心に反時計回りに回転し、ハンマー本体２３の錘部２４側の後端部（図１では左端部）が下限ストッパ部１５に当接して位置規制されると共に、ハンマー本体２３の鍵当接摺動部２６が鍵２のハンマー押圧部２０を押し上げて鍵２を上限位置に位置規制するようになっている。
【００２５】
また、このハンマー部材３は、図１および図２に示すように、鍵２が上方から押鍵されると、鍵２のハンマー押圧部２０によってハンマー本体２３の鍵当接摺動部２６がハンマー本体２３の錘部２４の重量に抗して押し下げられ、これに伴ってハンマー本体２３がハンマー支持部８のハンマー支持軸８ａを中心に時計回りに回転し、ハンマー本体２３の錘部２４側の後端部が鍵盤シャーシ１の鍵載置部１２の下面に設けられたフェルトなどの上限ストッパ１２ａに当接して、ハンマー本体２３の回転が停止するようになっている。
【００２６】
ところで、このハンマー部材３の回転取付部２５は、図２および図３に示すように、ハンマー本体２３の切欠き部３０に装着して取り付けられる軸受取付部２７と、この軸受取付部２７に設けられた軸受部２８と、を備え、これらがポリアセタール（ＰＯＭ）などの剛性の高い合成樹脂によって一体に形成されている。この場合、ハンマー本体２３の切欠き部３０は、ハンマー本体２３の前部側（図２では右側）に設けられ、ハンマー本体２３の後部側（図２では左側）に向けて開放されている。
【００２７】
すなわち、このハンマー本体２３には、図２および図３に示すように、切欠き部３０の下部に位置する切欠き下辺部２３ａと、切欠き下辺部２３ａの前端部から斜め上方に向けて傾斜する切欠き傾斜部２３ｂと、この切欠き傾斜部２３ｂの前側上部から垂直に延びる切欠き前部２３ｃと、この切欠き前側部２３ｃの上端部から切欠き部３０の上部に位置する切欠き上辺部２３ｄと、が設けられている。
【００２８】
これにより、軸受取付部２７は、図２および図３に示すように、ハンマー本体２３の切欠き下辺部２３ａに取り付けられる下部取付部２７ａと、ハンマー本体２３の切欠き傾斜部２３ｂの内周部に取り付けられる傾斜取付部２７ｂと、ハンマー本体２３の切欠き前部２３ｃの内周部に取り付けられる前部取付部２７ｃと、ハンマー本体２３の切欠き上辺部２３ｄに取り付けられる上部取付部２７ｄと、を備えている。
【００２９】
この軸受取付部２７は、図２および図３に示すように、下部取付部２７ａ、傾斜取付部２７ｂ、前部取付部２７ｃ、および上部取付部２７ｄが一体に設けられ、ハンマー本体２３の切欠き部３０の周囲に装着されて取り付けられるようになっている。
【００３０】
軸受部２８は、図２および図３に示すように、軸受取付部２７の内周部に一体に設けられて、ハンマー本体２３の切欠き部３０内に配置されるようになっている。この軸受部２８は、その外形がほぼ円形状をなし、径方向に弾性変形可能な状態で軸受取付部２７の内周部に設けられるようになっている。
【００３１】
すなわち、この軸受部２８は、図２および図３に示すように、軸受本体３１と、この軸受本体３１のほぼ中心部に設けられて鍵盤シャーシ１のハンマー支持部８に設けられたハンマー支持軸８ａが回転可能に嵌合する嵌合孔３２と、軸受部２８の外周側から嵌合孔３２にハンマー支持軸８ａを導く挿入孔３３と、を備えている。
【００３２】
軸受本体３１は、図２および図３に示すように、上部が軸受取付部２７の上部取付部２７ｄに一体に設けられ、この上部以外の外周部が弾性支持部３１ａによって軸受取付部２７の傾斜取付部２７ｂの内周部に支持されている。すなわち、弾性支持部３１ａは、軸受取付部２７の傾斜取付部２７ｂの内周部と、これに対向する軸受本体３１の外周との間に設けられている。
【００３３】
これにより、軸受本体３１は、図２および図３に示すように、軸受取付部２７の上部取付部２７ｄを除いて、軸受本体３１の外周面と軸受取付部２７の内周面との間に隙間が設けられ、軸受取付部２７の下部取付部２７ａに対応する軸受本体３１の下部側の外周部が弾性支持部３１ａを支点として径方向に弾力的に変位するようになっている。
【００３４】
また、この軸受本体３１は、図２および図３に示すように、軸受取付部２７の下部取付部２７ａに対応する下部に複数の開口部３１ｂが複数のリブ３１ｃによって設けられている。この場合、複数のリブ３１ｃは、弾力的に屈曲可能に設けられている。このため、この軸受本体３１は、複数のリブ３１ｃが弾力的に屈曲して複数の開口部３１ｂが変形することにより、軸受取付部２７の下部取付部２７ａに対応する軸受本体３１の下部側が径方向に弾力的に変位するようになっている。
【００３５】
また、軸受部２８の嵌合孔３２は、図２〜図４に示すように、軸受本体３１の中心部にほぼ円形状に設けられ、挿入孔３３と反対側に位置する内周面に半円弧状の凹部３２ａが設けられている。これにより、嵌合孔３２は、その内部に鍵盤シャーシ１のハンマー支持部８に設けられたハンマー支持軸８ａが回転可能に嵌合するようになっている。この場合、ハンマー支持部８のハンマー支持軸８ａは、断面が円形状の丸棒状に形成されている。
【００３６】
また、軸受部２８の挿入孔３３は、図２および図３に示すように、軸受本体３１の後部側（図３では左側）に位置する外周部から嵌合孔３２に亘って設けられている。この場合、挿入孔３３は、軸受本体３１の外周側の溝幅がハンマー支持部８のハンマー支持軸８ａの外径と同じか、それよりも少し広く形成されている。また、この挿入孔３３は、嵌合孔３２に位置する箇所の溝幅がハンマー支持軸８ａの外径よりも少し狭く形成されている。
【００３７】
これにより、挿入孔３３は、図２および図３に示すように、ハンマー支持軸８ａを軸受本体３１の後部側（図３では左側）に位置する外周部から嵌合孔３２に導く際に、ハンマー支持軸８ａが挿入する挿入圧が徐々に大きくなる。このため、この挿入孔３３は、ハンマー支持軸８ａが嵌合孔３２に近づくに従って軸受本体３１が徐々に径方向に広がるように弾性変形することにより、挿入孔３３の溝幅が徐々に広がってハンマー支持軸８ａを嵌合孔３２に嵌合させるようになっている。
【００３８】
ところで、軸受部２８の嵌合孔３２の内周面には、図２および図３に示すように、ハンマー支持軸８ａの外周面に軸受部２８の回転方向に摺動可能に接触する複数の突起部３４が設けられている。これら複数の突起部３４は、軸受部２８の嵌合孔３２と挿入孔３３との境界に設けられている。すなわち、複数の突起部３４は、嵌合孔３２と挿入孔３３との境界において、挿入孔３３の上部と下部とに位置する２箇所に設けられている。
【００３９】
この場合、複数の突起部３４それぞれは、図２および図３に示すように、頂上が点接触する第１の山形状に形成されていても良く、また頂上が線接触する第２の山形状に形成されていても良い。すなわち、突起部３４が第１の山形状の場合には、ハンマー支持軸８ａの外周面に点接触で摺動することにより、摩擦抵抗が軽減される。また、突起部３４が第２の山形状の場合には、ハンマー支持軸８ａの外周面に線接触で摺動することにより、摩擦抵抗が軽減される。
【００４０】
この場合、嵌合孔３２は、図３に示すように、ハンマー支持軸８ａが嵌合した際に、複数の突起部３４がハンマー支持軸８ａの外周面に接触し、これら複数の突起部３４と反対側に位置する凹部３２ａの各縁部にハンマー支持軸８ａの外周面が接触するようになっている。これにより、嵌合孔３２は、その内周面にハンマー支持軸８ａの外周面が４点で接触するようになっている。
【００４１】
また、軸受部２８の嵌合孔３２の内周面には、図３に示すように、複数の突起部３４によってグリースなどの潤滑材（図示せず）を溜める潤滑溜め部３５がそれぞれ設けられている。すなわち、嵌合孔３２は、その内周面にハンマー支持軸８ａの外周面が複数の突起部３４によって４点で接触する。このため、複数の潤滑溜め部３５は、上部側の突起部３４と凹部３２ａの上部側の縁との間、および下部側の突起部３４と凹部３２ａの下部側の縁との間にそれぞれ設けられている。
【００４２】
この場合、ハンマー支持部８のハンマー支持軸８ａは、図４に示すように、鍵盤シャーシ１のハンマー載置部７の下面に設けられた一対の支持片８ｂ間に設けられている。また、ハンマー部材３の軸受部２８は、その中心軸の軸方向の長さ（厚み）が一対の支持片８ｂ間の長さ（幅）、つまりハンマー支持軸８ａの軸方向の長さと同じ長さに形成されている。このため、ハンマー部材３の軸受部２８は、その中心軸の軸方向の両側面が一対の支持片８ｂの各対向面に接触するようになっている。
【００４３】
これにより、複数の潤滑溜め部３５は、図３および図４に示すように、軸受部２８の軸方向の両側面が一対の支持片８ｂの各対向面に接触することにより、軸受部２８の軸方向に位置する潤滑溜め部３５の両側部が一対の支持片８ｂの各対向面で塞がれる。このため、複数の潤滑溜め部３５は、その内部にグリースなどの潤滑材が軸受部２８の軸方向から漏れることがなく封入されるようになっている。
【００４４】
次に、このような鍵盤装置の作用について説明する。
まず、鍵２が押鍵操作されていない初期状態のときには、図１に示すように、ハンマー部材３が錘部２４の重量によってハンマー支持部８のハンマー支持軸８ａを中心に反時計回りに回転し、このハンマー部材３の錘部２４側の後端部が鍵盤シャーシ１の後脚部１４における下端部に設けられた下限ストッパ１５に上方から当接している。
【００４５】
このときには、図１に示すように、鍵２のハンマー押圧部２０のハンマー保持部２１がハンマー本体２３の先端部（図１では右端部）に位置する鍵当接摺動部２６によって押し上げられているので、鍵２が鍵盤シャーシ１の鍵載置部１２上に設けられた鍵支持部１３の鍵支持軸１３ａを中心に反時計回りに回転して上限位置に規制されている。この状態では、鍵２のスイッチ押圧部１６がスイッチ部４の上方に位置して離れている。
【００４６】
この状態で、鍵２を押鍵操作すると、図１において、鍵２が鍵支持部１３の鍵支持軸１３ａを中心に時計回りに回転して、ハンマー押圧部２０のハンマー保持部２１がハンマー部材３の鍵当接摺動部２６を押し下げる。これにより、ハンマー部材３が錘部２４の重量に抗して、図１において時計回りに回転する。このときには、ハンマー部材３のハンマー本体２３の回転によって、鍵２にアクション荷重が付与されるので、鍵荷重が重くなる。
【００４７】
そして、鍵２の押鍵操作に伴ってハンマー部材３が時計回りに更に回転して、ハンマー本体２３の後端部（図１では左端部）が鍵盤シャーシ１の鍵載置部１２の下面に設けられたフェルトなどの上限ストッパ１２ａに下側から接近する。このときには、スイッチ部４が鍵２のスイッチ押圧部１６によって押圧されて、ゴムシートの膨出部１８が弾性変形することにより、スイッチ部４がスイッチ信号を出力する。
【００４８】
これにより、発音部１７ａがスイッチ部４からのオン信号に基づいて楽音情報を生成し、この生成した楽音情報に基づいてスピーカ（図示せず）から楽音を放音させる。この後、ハンマー本体２３の後端部（図１では左端部）が鍵盤シャーシ１の鍵載置部１２の下面に設けられたフェルトなどの上限ストッパ１２ａに下側から当接し、ハンマー本体２３が上限位置に規制されて、ハンマー部材３の回転が停止する。
【００４９】
そして、鍵２から指が離れて鍵２が離鍵動作を開始すると、ハンマー部材３のハンマー本体２３が錘部２４の重量によってハンマー支持部８のハンマー支持軸８ａを中心に反時計回りに回転し、鍵２がスイッチ部４の膨出部１８の弾性復帰力によって鍵支持部１３の鍵支持軸１３ａを中心に反時計回りに回転を開始する。
【００５０】
このように、ハンマー本体２３がハンマー支持部８のハンマー支持軸８ａを中心に反時計回りに更に回転し、鍵２が鍵支持部１３の鍵支持軸１３ａを中心に反時計回りに更に回転する。そして、ハンマー本体２３の錘部２４側の後端部が鍵盤シャーシ１の後脚部１４における下端部に設けられた下限ストッパ１５に上方から当接する。
【００５１】
これにより、鍵２は、図１に示すように、ハンマー押圧部２０のハンマー保持部２１がハンマー本体２３の先端部（図１では右端部）に位置する鍵当接摺動部２６によって押し上げられるので、鍵２が鍵支持部１３の鍵支持軸１３ａを中心に反時計回りに回転して上限位置に規制される。この状態では、鍵２が初期位置に戻り、鍵２のスイッチ押圧部１６がスイッチ部４の上方に位置して離れる。
【００５２】
このように、ハンマー部材３の回転取付部２５が鍵盤シャーシ１のハンマー支持部８のハンマー支持軸８ａを中心に回転する際には、軸受部２８の軸受本体３１がハンマー支持軸８ａの径方向に弾性変形可能に設けられているので、軸受部２８における嵌合孔３２の内周面に設けられた複数の突起部３４がハンマー支持軸８ａの外周面に弾力的に点接触または線接触した状態で、軸受部２８がハンマー支持軸８ａを中心に回転する。
【００５３】
すなわち、複数の突起部３４がハンマー支持軸８ａの外周面に弾力的に接触した際には、これら複数の突起部３４と反対側に位置する凹部３２ａの各縁部にハンマー支持軸８ａの外周面が接触する。これにより、軸受部２８の嵌合孔３２の内周面がハンマー支持軸８ａの外周面に４点で弾力的に接触する。このため、ハンマー支持軸８ａに対する軸受部２８の摩擦抵抗が少なく、ハンマー支持軸８ａに対して軸受部２８がガタつくことがなく、円滑に回転する。
【００５４】
また、このときには、軸受部２８の嵌合孔３２の内周面にグリースなどの潤滑材（図示せず）を溜める潤滑溜め部３５が複数の突起部３４によってそれぞれ設けられているので、ハンマー支持軸８ａに対して軸受部２８が回転する際に、複数の潤滑溜め部３５に溜められたグリースなどの潤滑材をハンマー支持軸８ａの外周面に確実にかつ良好に塗布することができる。
【００５５】
すなわち、複数の潤滑溜め部３５は、上部側の突起部３４と凹部３２ａの上部側の縁との間、および下部側の突起部３４と凹部３２ａの下部側の縁との間にそれぞれ設けられているので、ハンマー支持軸８ａに対して軸受部２８が繰り返し回転しても、複数の潤滑溜め部３５に溜められたグリースなどの潤滑材をハンマー支持軸８ａの外周面に円滑にかつ良好に塗布することができる。
【００５６】
この場合、複数の潤滑溜め部３５は、軸受部２８の軸方向の両側面が一対の支持片８ｂの各対向面に接触した状態で、ハンマー支持軸８ａに対して軸受部２８が回転することにより、複数の潤滑溜め部３５の軸方向の両側を一対の支持片８ｂの各対向面で塞ぐことができる。このため、複数の潤滑溜め部３５に溜められたグリースなどの潤滑材が複数の潤滑溜め部３５の両側から漏れることがないので、ハンマー支持軸８ａに対して軸受部２８が繰り返し回転しても、潤滑材の減少を防ぐことができる。
【００５７】
このように、この電子鍵盤楽器の鍵盤装置によれば、ハンマー支持軸８ａと、挿入孔３３が設けられ、ハンマー支持軸８ａが挿入孔３３から挿入されることにより弾性変形される軸受部２８と、軸受部２８の内周面に設けられ、軸受部２８に挿入されたハンマー支持軸８ａの外周面に、ハンマー支持軸８ａの回転方向に沿って摺動可能に接触する突起部３４と、を備えていることにより、ハンマー支持軸８ａに対する軸受部２８のガタつきを防ぐことができる。
【００５８】
すなわち、この鍵盤装置では、ハンマー支持軸８ａの径方向に弾性変形可能な軸受部２８の内周面に設けられた複数の突起部３４をハンマー支持軸８ａの外周面に弾力的に押し当てることができるので、ハンマー支持軸８ａに対して軸受部２８が回転する際に、複数の突起部３４をハンマー支持軸８ａの外周面に沿って弾力的に摺動させることができる。このため、ハンマー支持軸８ａに対する軸受部２８のガタつきを防いで、円滑に軸受部２８を回転させることができる。
【００５９】
この場合、軸受部２８は、軸受本体３１を備え、この軸受本体３１の外周部が弾性支持部３１ａによってハンマー部材３の切欠き部３０に取り付けられた軸受取付部２７の内周部に支持されていることにより、軸受本体３１の外周面と軸受取付部２７の内周面との間に隙間を設けることができるので、弾性支持部３１ａを支点として軸受本体３１を径方向に弾力的に変位させることができる。
【００６０】
また、この軸受部２８は、軸受本体３１に複数の開口部３１ｂが弾力的に屈曲可能な複数のリブ３１ｃによって設けられていることにより、複数のリブ３１ｃが弾力的に屈曲して複数の開口部３１ｂを変形させることができるので、これによっても軸受本体３１を径方向に弾力的に変位させることができる。
【００６１】
また、この鍵盤装置では、軸受部２８が、軸受本体３１と、ハンマー支持軸８ａが嵌合する嵌合孔３２と、ハンマー支持軸８ａを軸受本体３１の外周から嵌合孔３２に導く挿入孔３３と、を備えていることにより、軸受部２８をハンマー支持軸８ａに取り付ける際に、ハンマー支持軸８ａを挿入孔３３に挿入させて、この挿入孔３３でハンマー支持軸８ａを嵌合孔３２に確実に導くことができる。
【００６２】
この場合、挿入孔３３は、軸受本体３１の外周側の溝幅がハンマー支持軸８ａの直径と同じか、それよりも少し広くなっており、嵌合孔３２の内周側がハンマー支持軸８ａの直径よりも少し狭くなっているので、ハンマー支持軸８ａを挿入孔３３に挿入させて嵌合孔３２に導く際に、挿入孔３３を弾力的に押し広げて、ハンマー支持軸８ａを嵌合孔３２に確実にかつ良好に嵌合させることができ、またハンマー支持軸８ａが嵌合孔３２に嵌合した際に、ハンマー支持軸８ａが不用意に挿入孔３３から抜け出さないようにすることができる。
【００６３】
また、この鍵盤装置では、複数の突起部３４が挿入孔３３と嵌合孔３２との境界部に設けられていることにより、ハンマー支持軸８ａが挿入孔３３から嵌合孔３２に嵌合した際に、複数の突起部３４によってハンマー支持軸８ａが不用意に挿入孔３３から抜け出すのを確実に防ぐことができる。すなわち、複数の突起部３４は、嵌合孔３２と挿入孔３３との境界において、挿入孔３３の上部と下部とに位置する２箇所に設けられているので、ハンマー支持軸８ａが挿入孔３３から抜け出さないようにすることができる。
【００６４】
この場合、突起部３４は、ハンマー支持軸８ａの外周面に対して点接触と線接触とのいずれか一方で接触することにより、ハンマー支持軸８ａの外周面に対する突起部３４の接触面積を小さくすることができ、これによりハンマー支持軸８ａに対して軸受部２８が回転する際の摩擦抵抗を大幅に軽減することができる。
【００６５】
すなわち、複数の突起部３４は、１つの頂点を有する山形状に形成されている場合に、ハンマー支持軸８ａの外周面に点接触で摺動させることができるので、摩擦抵抗を大幅に軽減することができる。また、複数の突起部３４は、頂点がハンマー支持軸８ａの軸方向に連続する山形状に形成されている場合に、ハンマー支持軸８ａの外周面に線接触で摺動させることができるので、これによっても摩擦抵抗を軽減させることができる。
【００６６】
この場合、嵌合孔３２は、ハンマー支持軸８ａが嵌合した際に、複数の突起部３４をハンマー支持軸８ａの外周面に接触させると共に、挿入孔３３と反対側に位置する嵌合孔３２の内周面に設けられた凹部３２ａの各縁部にハンマー支持軸８ａの外周面を接触させることができる。
【００６７】
このため、この嵌合孔３２は、その内周面にハンマー支持軸８ａの外周面を４点で接触させることができるので、これによってもハンマー支持軸８ａの外周面に対する嵌合孔３２の内周面の接触面積を小さくすることができる。このため、ハンマー支持軸８ａに対して軸受部２８が回転する際の摩擦抵抗を更に軽減させることができる。
【００６８】
また、この鍵盤装置では、軸受部２８の内周面に突起部３４によってグリースなどの潤滑材を溜める潤滑溜め部３５が設けられていることにより、ハンマー支持軸８ａに対して軸受部２８が回転する際に、ハンマー支持軸８ａの外周面にグリースなどの潤滑材を確実にかつ良好に塗布することができ、これによりハンマー支持軸８ａに対して軸受部２８を円滑にかつ良好に回転させることができる。
【００６９】
すなわち、潤滑溜め部３５は、嵌合孔３２の内周面にハンマー支持軸８ａの外周面が複数の突起部３４によって４点で接触するため、上部側の突起部３４と凹部３２ａの上部側の縁との間、および下部側の突起部３４と凹部３２ａの下部側の縁との間にそれぞれ設けられているので、ハンマー支持軸８ａに対して軸受部２８が回転する際に、ハンマー支持軸８ａの外周面にグリースなどの潤滑材を確実にかつ良好に塗布することができる。
【００７０】
この場合、ハンマー部材３の軸受部２８は、ハンマー支持部８のハンマー支持軸８ａが鍵盤シャーシ１のハンマー載置部７の下面に設けられた一対の支持片８ｂ間に設けられていることにより、軸受部２８の中心軸の軸方向の両側面を一対の支持片８ｂの各対向面に接触させることができる。
【００７１】
このため、このハンマー部材３の軸受部２８では、複数の潤滑溜め部３５の軸方向の両側部を一対の支持片８ｂの各対向面によって塞ぐことができるので、複数の潤滑溜め部３５の内部に充填されたグリースなどの潤滑材が軸受部２８の軸方向から漏れないように封入することができる。
【００７２】
なお、上述した実施形態では、複数の突起部３４を軸受部２８の嵌合孔３２の内周面に設けた場合について述べたが、この発明は、これに限らず、例えば複数の突起部３４をハンマー支持軸８ａの外周面に設けても良い。
【００７３】
また、上述した実施形態では、軸受部２８の嵌合孔３２の内周面に設けられた潤滑溜め部３５にグリースなどの潤滑材を充填させた場合について述べたが、この発明は、これに限らず、シリコーンオイルを含浸させた合成樹脂でハンマー部材３の軸受部２８を形成し、ハンマー支持軸８ａに対して軸受部２８が回転する際に、シリコーンオイルが浸み出すようにしても良い。
【００７４】
また、上述した実施形態では、電子鍵盤楽器の鍵盤装置において、鍵盤シャーシ１のハンマー支持軸８ａにハンマー部材３の軸受部２８を回転可能に取り付けた場合について述べたが、この発明は、これに限らず、例えば鍵２の後端部に軸受部２８を設け、この鍵２の軸受部２８を鍵盤シャーシ１の鍵支持軸１３ａに回転可能に取り付けるようにしても良い。
【００７５】
さらに、上述した実施形態では、電子鍵盤楽器の鍵盤装置に適用した場合について述べたが、この発明は、これに限らず、軸と軸受部とを備え、これらが相対的に回転する軸受構造を備えた機器にも適用することができる。
【００７６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７７】
（付記）
請求項１に記載の発明は、軸と、挿入孔が設けられ、前記軸が前記挿入孔から挿入されることにより弾性変形される軸受部と、前記軸の外周面および前記軸受部の内周面のいずれか一方に設けられ、前記軸の外周面と前記軸受部の内周面とのいずれか他方に、前記軸受部に挿入された前記軸の回転方向に沿って摺動可能に接触する突起部と、を備えていることを特徴とする軸受構造である。
【００７８】
請求項２に記載の発明は、請求項１に記載の軸受構造において、前記軸受部は、前記軸が嵌合する嵌合孔を備えていることを特徴とする軸受構造である。
【００７９】
請求項３に記載の発明は、請求項２に記載の軸受構造において、前記突起部は、前記嵌合孔と前記挿入孔との境界部に設けられていることを特徴とする軸受構造である。
【００８０】
請求項４に記載の発明は、請求項１〜請求項３のいずれかに記載の軸受構造において、前記突起部は、前記軸の外周面に対して点接触と線接触とのいずれか一方で接触することを特徴とする軸受構造である。
【００８１】
請求項５に記載の発明は、請求項１〜請求項４のいずれかに記載の軸受構造において、前記嵌合孔の内周面には、前記突起部によって潤滑材を溜める潤滑溜め部が設けられていることを特徴とする軸受構造である。
【００８２】
請求項６に記載の発明は、請求項１〜請求項５のいずれかに記載の軸受構造を備えた鍵盤装置と、前記鍵盤装置の操作に応じて楽音を発生する発音部と、を備えていることを特徴とする電子鍵盤楽器である。
【００８３】
請求項７に記載の発明は、請求項６に記載の電子鍵盤楽器において、前記鍵盤装置は、鍵盤シャーシに回転可能に設けられた複数の鍵それぞれの押鍵操作に応じて回転して、前記複数の鍵それぞれにアクション荷重を付与する複数のハンマー部材の各回転部が前記軸受構造になっていることを特徴とする電子鍵盤楽器である。
【００８４】
請求項８に記載の発明は、請求項１〜請求項５のいずれかに記載の軸受構造を備えていることを特徴とする機器である。
【符号の説明】
【００８５】
１  鍵盤シャーシ
２  鍵
３  ハンマー部材
４  スイッチ部
８  ハンマー支持部
８ａ  ハンマー支持軸
１３  鍵支持部
１３ａ  鍵支持軸
１７ａ  発音部
２３  ハンマー本体
２４  錘部
２５  回転取付部
２６  鍵当接摺動部
２７  軸受取付部
２８  軸受部
３０  切欠き部
３１  軸受本体
３１ａ  弾性支持部
３１ｂ  開口部
３１ｃ  リブ
３２  嵌合孔
３２ａ  凹部
３３  挿入孔
３４  突起部
３５  潤滑溜め部
【図１】
2019056874.tif 000003
【図２】
2019056874.tif 000004
【図３】
2019056874.tif 000005
【図４】
2019056874.tif 000006